(57)【要約】  干渉ダウンリンク送信に関連付けられたパラメータは、ＵＥにおいて決定されうるか、またはｅノードＢからＵＥにシグナリングされうる。パラメータは、実パラメータ、または仮想パラメータでありうる。パラメータに基づいて、ＵＥは、干渉データチャネル送信から除去された干渉の量を反映するメトリックを決定しうる。ＵＥは、パラメータに基づいて、準クリーンチャネル状態情報、および／または干渉効率を決定する。ＵＥは、ｅノードＢに、準クリーンＣＳＩ、および／または干渉効率を送信しうる。
2015527794.tif 000002
【特許請求の範囲】
【請求項１】
ワイヤレス通信の方法であって、
干渉ダウンリンク送信に関連付けられたパラメータを決定することと、
前記パラメータに少なくとも部分的に基づいて、干渉データチャネル送信から除去された干渉の量を反映するメトリックを決定することと、
前記メトリックをｅノードＢに送信することと
を備える、方法。
【請求項２】
チャネル品質報告情報を受信することをさらに備え、前記チャネル品質報告情報は、前記メトリックを報告するためのサブフレームの第１のセットと、前記メトリックを報告するためのサブフレームの第２のセットとを含み、前記サブフレームの第１のセットおよびサブフレームの第２のセットは、異なる干渉プロファイルを有する、請求項１に記載の方法。
【請求項３】
前記サブフレームの第１のセットは、クリーンサブフレーム（clean subframes）であり、且つ前記サブフレームの第２のセット は、非クリーンサブフレームであるか、
前記サブフレームの第１のセットは、クリーンサブフレームであり、且つ前記サブフレームの第２のセットは、準クリーンサブフレームであるか、または
前記サブフレームの第１のセットは、非クリーンサブフレームであり、且つ前記サブフレームの第２のセットは、準クリーンサブフレームである、請求項１に記載の方法。
【請求項４】
前記メトリックは、準クリーンチャネル状態情報（ＣＳＩ）である、請求項１に記載の方法。
【請求項５】
前記準クリーンＣＳＩは、チャネル品質インジケータ（ＣＱＩ）、前記干渉ダウンリンク送信からの干渉の量、プリコーディングマトリックスインジケータ（ＰＭＩ）、ランク指示（ＲＩ）、サブバンドインデックス、またはそれらの組み合わせのうちの１つまたは複数を含む、請求項４に記載の方法。
【請求項６】
前記準クリーンＣＳＩは、複数の準クリーンＣＳＩセットを含み、各準クリーンＣＳＩセットは、パラメータの異なるセットに関連付けられる、請求項４に記載の方法。
【請求項７】
前記メトリックを送信することは、複数の報告インスタンスにおいて前記メトリックを報告することと、前記複数の報告インスタンスにわたって前記複数の準クリーンＣＳＩセットを周期的に繰り返すことをさらに備える、請求項６に記載の方法。
【請求項８】
前記メトリックは、干渉除去効率値である、請求項１に記載の方法。
【請求項９】
前記パラメータは、前記ｅノードＢから送信されるか、またはＵＥにおいて決定される、請求項１に記載の方法。
【請求項１０】
前記パラメータは、前記干渉データチャネル送信に関連付けられ、前記パラメータは、前記干渉データチャネル送信に関連付けられた実パラメータ、前記干渉データチャネル送信に関連付けられた実パラメータではない仮想パラメータ、またはそれらの組み合わせを含む、請求項９に記載方法。
【請求項１１】
前記メトリックは、前記パラメータが前記仮想パラメータである場合、仮想干渉除去に少なくとも部分的に基づいて間接的に決定され、
前記メトリックは、前記パラメータが前記実パラメータである場合、実際の干渉除去に少なくとも部分的に基づいて直接的に決定される、請求項１０に記載の方法。
【請求項１２】
ワイヤレス通信のための装置であって、
メモリと
前記メモリに結合された少なくとも１つのプロセッサと
を備え、
前記少なくとも１つのプロセッサは、
干渉ダウンリンク送信に関連付けられたパラメータを決定し、
前記パラメータに少なくとも部分的に基づいて、干渉データチャネル送信から除去された干渉の量を反映するメトリックを決定し、
前記メトリックをｅノードＢに送信する
ように構成される、装置。
【請求項１３】
前記少なくとも１つのプロセッサはさらに、チャネル品質報告情報を受信するように構成され、前記チャネル品質報告情報は、前記メトリックを報告するためのサブフレームの第１のセットと、前記メトリックを報告するためのサブフレームの第２のセットとを含み、前記サブフレームの第１のセットおよびサブフレームの第２のセットは、異なる干渉プロファイルを有する、請求項１２に記載の装置。
【請求項１４】
前記サブフレームの第１のセット は、クリーンサブフレームであり、且つ前記サブフレームの第２のセット は、非クリーンサブフレームであるか、
前記サブフレームの第１のセットは、クリーンサブフレームであり、且つ前記サブフレームの第２のセットは、準クリーンサブフレームであるか、または
前記サブフレームの第１のセットは、非クリーンサブフレームであり、且つ前記サブフレームの第２のセットは、準クリーンサブフレームである、請求項１２に記載の装置。
【請求項１５】
前記メトリックは、準クリーンチャネル状態情報（ＣＳＩ）である、請求項１２に記載の装置。
【請求項１６】
前記準クリーンＣＳＩは、チャネル品質インジケータ（ＣＱＩ）、前記干渉ダウンリンク送信からの干渉の量、プリコーディングマトリックスインジケータ（ＰＭＩ）、ランク指示（ＲＩ）、サブバンドインデックス、またはそれらの組み合わせのうちの１つまたは複数を含む、請求項１５に記載の装置。
【請求項１７】
前記準クリーンＣＳＩは、複数の準クリーンＣＳＩセットを含み、各準クリーンＣＳＩセットは、パラメータの異なるセットに関連付けられる、請求項１５に記載の装置。
【請求項１８】
前記少なくとも１つのプロセッサは、複数の報告インスタンスにおいて前記メトリックを報告し、前記複数の報告インスタンスにわたって前記複数の準クリーンＣＳＩセットを周期的に繰り返すようにさらに構成される、請求項１７に記載の装置。
【請求項１９】
前記メトリックは、干渉除去効率値である、請求項１２に記載の装置。
【請求項２０】
前記パラメータは、前記ｅノードＢから送信されるか、またはＵＥにおいて決定される、請求項１２に記載の装置。
【請求項２１】
前記パラメータは、前記干渉データチャネル送信に関連付けられ、前記パラメータは、前記干渉データチャネル送信に関連付けられた実パラメータ、前記干渉データチャネル送信に関連付けられた実パラメータではない仮想パラメータ、またはそれらの組み合わせを含む、請求項２０に記載の装置。
【請求項２２】
前記少なくとも１つのプロセッサはさらに、
前記パラメータが前記仮想パラメータである場合、仮想干渉除去に少なくとも部分的に基づいて前記メトリックを間接的に決定し、
前記パラメータが前記実パラメータである場合、実際の干渉除去に少なくとも部分的に基づいて前記メトリックを直接的に決定する
ように構成される、請求項２１に記載の方法 。
【請求項２３】
ワイヤレス通信のための装置であって、
干渉ダウンリンク送信に関連付けられたパラメータを決定するための手段と、
前記パラメータに少なくとも部分的に基づいて、干渉データチャネル送信から除去された干渉の量を反映するメトリックを決定するための手段と、
前記メトリックをｅノードＢに送信するための手段と
を備える、装置。
【請求項２４】
ワイヤレス通信のためのコンピュータプログラム製品であって、前記コンピュータプログラム製品は、
記録されたプログラムコードを有する非一時的コンピュータ読み取り可能な媒体
を備え、
前記プログラムコードは、
干渉ダウンリンク送信に関連付けられたパラメータを決定するためのプログラムコードと、
前記パラメータに少なくとも部分的に基づいて、干渉データチャネル送信から除去された干渉の量を反映するメトリックを決定するためのプログラムコードと、
前記メトリックをｅノードＢに送信するためのプログラムコードと
を備える、コンピュータプログラム製品。
【発明の詳細な説明】
【技術分野】
【０００１】
［関連出願の相互参照］
[0001]   本願は、参照により全体が本明細書に明示的に組み込まれた、２０１２年６月２９日に出願された、「CHANNEL STATE INFORMATION REPORTING FOR PARTIALLY CANCELLED INTERFERENCE」と題される米国仮特許出願第６１／６６６，６７３号の利益を、米国特許法第１１９条（ｅ）の下に主張する。
【０００２】
[0002]   本開示の態様は、一般に、ワイヤレス通信システムに関し、より具体的には、ダウンリンク干渉除去（downlink interference cancellation）のためのメトリックを報告することに関する。
【背景技術】
【０００３】
[0003]   ワイヤレス通信システムは、電話通信、ビデオ、データ、メッセージング、およびブロードキャストのような様々な電気通信サービスを提供するために広く展開されている。典型的なワイヤレス通信システムは、利用可能なシステムリソース（例えば、帯域幅、送信電力）を共有することによって複数のユーザとの通信をサポートすることができる多元接続技術を用いることができる。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]   これらの多元接続技術は、異なるワイヤレスデバイスに、都市レベル、国レベル、地域レベルだけでなく、世界的なレベルでの通信を可能にさせる、共通のプロトコルを提供するために、様々な電気通信規格に採用されている。新たに台頭してきた電気通信規格の例は、ロングターム・エボリューション（ＬＴＥ）である。ＬＴＥは、第３世代パートナーシッププロジェクト（３ＧＰＰ）によって発表されたユニバーサル・モバイル電気通信システム（ＵＭＴＳ）のモバイル規格を強化したもののセットである。それは、スペクトル効率を改善すること、コストを下げること、サービスを向上させること、新たなスペクトルを利用すること、および、ダウンリンク（ＤＬ）にＯＦＤＭＡを、アップリンク（ＵＬ）にＳＣ−ＦＤＭＡを使用し、多入力多出力（ＭＩＭＯ）アンテナ技術を使用して、他のオープン規格とより良く一体化することによって、モバイルブロードバンド・インターネットアクセスをより快適にサポートするように設計されている。しかしながら、モバイルブロードバンド・アクセスに対する需要が増加し続けるのに伴い、ＬＴＥ技術にはさらなる改良を求める必要性が存在する。望ましくは、これらの改良は、これらの技術を用いる電気通信規格および他の多元接続技術に適用可能であるべきである。
【０００５】
[0005]   これは、下記の詳細な説明がより良く理解されうるように、本開示の特徴および技術的利点を、どちらかといえば幅広く概説している。本開示の追加の特徴および利点が下記に説明されるだろう。本開示が、本開示と同じ目的を実行するための他の構造を変更または設計するための基礎として容易に利用されうることは、当業者によって認識されるべきである。そのような等価の構造が、添付された特許請求の範囲に示される本開示の教示から逸脱しないことも、当業者によって理解されるべきである。構成および動作の方法の両方について、本開示の特徴であると考えられる新規の特徴は、さらなる目的および利点とともに、添付の図面に関連して考慮される場合に、以下の説明からより良く理解されるだろう。しかしながら、図面の各々が例示および説明の目的でのみ提供されており、本開示の限定の定義として意図されていないということは明確に理解されるべきである。
【発明の概要】
【０００６】
[0006]  干渉ダウンリンク送信（an interfering downlink transmission）に関連付けられたパラメータは、ＵＥにおいて決定されうるか、またはｅノードＢからＵＥにシグナリングされうる。パラメータは、実パラメータ（actual parameters）、または仮想パラメータ（hypothetical parameters）でありうる。パラメータに基づいて、ＵＥは、干渉データチャネル送信から除去された干渉の量を反映するメトリックを決定しうる。一つの構成において、ＵＥは、パラメータに基づいて準クリーンチャネル状態情報（quasi-clean channel state information）を決定する。準クリーンチャネル状態情報は、少なくとも１つのｅノードＢからのダウンリンク干渉（downlink interference）の除去後の、チャネル状態情報を指す。準クリーンチャネル状態情報は、クリーンチャネル状態情報（clean channel state information）と区別されることができ、クリーンチャネル状態情報は、セル間干渉調整（inter-cell interference coordination）（ＩＣＩＣ）を通して干渉から保護された、サブフレームにおけるチャネルに対応する。非クリーンチャネル状態情報（unclean channel state information）は、ＩＣＩＣを通して干渉から保護されない、サブフレームにおけるチャネルに対応する。干渉除去からの改善は、非クリーンチャネル状態情報に関して評価されない。別の構成において、ＵＥは、パラメータに基づいて干渉効率（an interference efficiency）を決定する。干渉除去の効率は、ＵＥがパラメータに基づいて除去しうるダウンリンク干渉の量を指す。ＵＥは、ｅノードＢに、干渉除去効率、および／または準クリーンＣＳＩ（quasi-clean CSI）を送信しうる。
【０００７】
[0007］  本開示のある態様において、ワイヤレス通信の方法が提示される。方法は、干渉ダウンリンク送信に関連付けられたパラメータを決定することを含む。方法はまた、パラメータに基づいて、干渉データチャネル送信から除去された干渉の量を反映するメトリックを決定することを含む。方法はさらに、メトリックをｅノードＢに送信することを含む。
【０００８】
[0008]  本開示の別の態様は、干渉ダウンリンク送信に関連付けられたパラメータを決定するための手段を含む装置を対象とする。装置はまた、パラメータに基づいて、干渉データチャネル送信から除去された干渉の量を反映するメトリックを決定ための手段を含む。装置はさらに、ｅノードＢにメトリックを送信するための手段を含む。
【０００９】
[0009]  本開示のさらに別の態様において、非一時的コンピュータ読み取り可能な媒体を有するワイヤレスネットワークにおけるワイヤレス通信のためのコンピュータプログラム製品が提示される。コンピュータ読み取り可能な媒体は、プロセッサによって実行される場合、（単数又は複数の）プロセッサに、干渉ダウンリンク送信に関連付けられたダウンリンクパラメータの決定の動作を行わせる、記録された非一時的なプログラムコードを含む。プログラムコードはまた、（単数又は複数の）プロセッサに、パラメータに基づいて、干渉データチャネル送信から除去された干渉の量を反映するメトリックを決定させる。プログラムコードはさらに、（単数又は複数の）プロセッサに、メトリックをｅノードＢに送信させる。
【００１０】
[0010]  本開示の別の態様は、メモリと、メモリに結合された（単数又は複数の）プロセッサとを含む、ワイヤレス通信装置を対象とする。（単数又は複数の）プロセッサは、干渉ダウンリンク送信に関連付けられたパラメータを決定するように構成される。（単数又は複数の）プロセッサはまた、パラメータに基づいて、干渉データチャネル送信から除去された干渉の量を反映するメトリックを決定するように構成される。（単数又は複数の）プロセッサはさらに、メトリックをｅノードＢに送信するように構成される。
【００１１】
[0011]  本開示のさらなる特徴および利点が下記に説明されるだろう。この開示が、本開示と同じ目的を実行するための他の構造を変更または設計するための基礎として容易に利用されうることは、当業者によって理解されるべきである。そのような等価の構造が、添付された特許請求の範囲に示される本開示の教示から逸脱しないこともまた、当業者によって理解されるべきである。本開示の構成および動作の方法の両方について、本開示の特徴であると考えられる新規の特徴は、さらなる目的および利点とともに、添付の図面に関連して考慮される場合に、以下の説明からより良く理解されるだろう。しかしながら、図面の各々が例示および説明のためだけに提供されており、本開示の限定の定義として意図されていないということは明確に理解されるべきである。
【図面の簡単な説明】
【００１２】
[0012]   本開示の特徴、性質、および利点は、同様の参照記号が全体を通してそれ相応に識別する図面とともに解釈される際に、以下に示される詳細な説明から、より明確になるであろう。
【図１】図１は、ネットワークアーキテクチャの例を示す図である。
【図２】図２は、アクセスネットワークの例を示す図である。
【図３】図３は、ＬＴＥにおけるダウンリンクフレーム構造の例を示す図である。
【図４】図４は、ＬＴＥにおけるアップリンクフレーム構造の例を示す図である。
【図５】図５は、ユーザプレーンおよび制御プレーンのための無線プロトコルアーキテクチャの例を示す図である。
【図６】図６は、アクセスネットワークにおける発展型ノードＢおよびユーザ機器の例を示す図である。
【図７】図７は、例示的なワイヤレスアクセスネットワークを示す図である。
【図８】図８は、例示的な装置における異なるモジュール／手段／コンポーネント間のデータフローを示す概念的なデータフロー図である。
【図９】図９は、例示的な装置における異なるモジュール／手段／コンポーネントを図示するブロック図である。
【図１０】図１０は、本開示の態様に従ったメトリックを決定するための方法を図示するブロック図である。
【図１１】図１１は、本開示の態様に従ったメトリックを決定するための方法を図示するブロック図である。
【発明を実施するための形態】
【００１３】
[0023]   添付された図面に関連して下記で説明される詳細な説明は、様々な構成の説明を意図するものであり、本明細書において説明される概念が実現されうる、唯一の構成を表すことを意図するものではない。詳細な説明は、様々な概念の完全な理解を提供する目的で、具体的な詳細を含む。しかしながら、これらの概念がこれらの具体的な詳細なしに実現されうることは、当業者にとって明らかであるだろう。いくつかの事例では、周知の構造およびコンポーネントが、そのような概念を曖昧にすることを避けるためにブロック図の形態で図示されている。
【００１４】
[0024]   電気通信システムの態様が、様々な装置および方法を参照して示される。これらの装置および方法は、以下の詳細な説明において記述され、添付の図面において、様々なブロック、モジュール、コンポーネント、回路、ステップ、処理、アルゴリズム等（集合的には「要素」と呼ばれる）により例示される。これらの要素は、電子ハードウェア、コンピュータソフトウェア、またはそれらの任意の組み合わせを使用して実装されうる。そのような要素がハードウェアとして実装されるかソフトウェアとして実装されるかは、システム全体に課された設計の制約および特定のアプリケーションに依存する。
【００１５】
[0025]   例として、要素、または要素の任意の一部分、または要素の任意の組み合わせは、１つまたは複数のプロセッサを含む「処理システム」を用いて実装されうる。プロセッサの例は、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、ステートマシン、ゲートロジック、離散ハードウェア回路、および本開示を通して説明される様々な機能を行うように構成された他の適切なハードウェアを含む。処理システムにおける１つまたは複数のプロセッサは、ソフトウェアを実行することができる。ソフトウェアは、ソフトウェア、ファームウェア、ミドルウェア、マイクロコード、ハードウェア記述言語を指すか、またはそれ以外のものを指すかに関わらず、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数等を意味するものと広く解釈されるだろう。
【００１６】
[0026]   したがって、１つまたは複数の例示的な実施形態において、説明された機能は、ハードウェア、ソフトウェア、ファームウェア、またはこれらの任意の組み合わせで実装されうる。ソフトウェアで実装される場合、これらの機能は、非一時的なコンピュータ読み取り可能な媒体上に、１つまたは複数の命令またはコードとして記憶されるか、あるいは符号化されうる。コンピュータ読み取り可能な媒体は、コンピュータ記憶媒体を含む。記憶媒体は、コンピュータによってアクセスされうる任意の利用可能な媒体でありうる。限定ではなく例として、このようなコンピュータ読み取り可能な媒体は、ＲＡＭ、ＲＯＭ、ＥＥＰＲＯＭ、ＣＤ−ＲＯＭまたは他の光ディスク記憶装置、磁気ディスク記憶装置、または他の磁気記憶デバイス、あるいは、データ構造または命令の形式で所望のプログラムコードを実行または記憶するために使用されることができ、かつコンピュータによってアクセスされうる任意の他の媒体を備えることができる。本明細書で使用されるようなディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスク、およびブルーレイ（登録商標）ディスクを含み、ここでディスク（disks）が通常、データを磁気的に再生する一方、ディスク（discs）は、レーザを用いてデータを光学的に再生する。上記の組み合わせもまた、コンピュータ読み取り可能な媒体の範囲内に含まれるべきである。
【００１７】
[0027]   図１は、ＬＴＥネットワークアーキテクチャ１００を示す図である。ＬＴＥネットワークアーキテクチャ１００は、発展型パケットシステム（ＥＰＳ）１００を指しうる。ＥＰＳ １００は、1つまたは複数のユーザ機器（ＵＥ）１０２、発展型ＵＭＴＳ地上無線アクセスネットワーク（Ｅ−ＵＴＲＡＮ）１０４、発展型パケットコア（ＥＰＣ）１１０、ホーム加入者サーバ（ＨＳＳ）１２０、オペレータのＩＰサービス１２２を含みうる。ＥＰＳは、他のアクセスネットワークと相互接続することができるが、簡潔化のために、それらのエンティティ／インターフェースは、図示されない。示されるように、ＥＰＳは、パケット交換サービスを提供するが、当業者が容易に理解するように、本開示全体を通して提示される様々な概念は、回路交換サービスを提供するネットワークに拡張されうる。
【００１８】
[0028]   Ｅ−ＵＴＲＡＮは、発展型ノードＢ（ｅノードＢ）１０６および他のｅノードＢ １０８を含む。ｅノードＢ １０６は、ＵＥ １０２に向かってユーザおよび制御プレーンプロトコル送信を提供する。ｅノードＢ １０６は、バックホール（例えば、Ｘ２インターフェース）を介して、他のｅノードＢ １０８に接続されうる。ｅノードＢ １０６はまた、基地局、トランシーバ基地局、無線基地局、無線トランシーバ、トランシーバ機能、ベーシックサービスセット（ＢＳＳ）、拡張サービスセット（ＥＳＳ）、またはいくつかの他の適切な用語で呼ばれうる。ｅノードＢ １０６は、ＵＥ １０２のために、ＥＰＣ １１０へのアクセスポイントを提供する（provides an access point to the EPC 110 for a UE 102）。ＵＥ １０２の例は、セルラ電話、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレイヤ（例えば、ＭＰ３プレイヤ）、カメラ、ゲーム機、または任意の他の同様の機能するデバイスを含む。ＵＥ １０２はまた、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または他の適切な用語で呼ばれうる。
【００１９】
[0029]   ｅノードＢ １０６は、例えば、Ｓ１インターフェースを介して、ＥＰＣ １１０に接続される。ＥＰＣ １１０は、モビリティ管理エンティティ（ＭＭＥ）１１２、他の複数のＭＭＥ １１４、サービングゲートウェイ１１６、パケットデータネットワーク（ＰＤＮ）ゲートウェイ１１８を含む。ＭＭＥ １１２は、ＵＥ １０２とＥＰＣ １１０との間のシグナリングを処理する制御ノードである。一般に、ＭＭＥ １１２は、ベアラおよび接続管理を提供する。全てのユーザＩＰパケットは、それ自体がＰＤＮゲートウェイ１１８に接続されたサービングゲートウェイ１１６を通して転送される。ＰＤＮゲートウェイ１１８は、ＵＥ ＩＰアドレス割当、ならびに他の機能を提供する。ＰＤＮゲートウェイ１１８は、オペレータのＩＰサービス１２２に接続される。オペレータのＩＰサービス１２２は、インターネット、イントラネット、ＩＰマルチメディアサブシステム（ＩＭＳ）、およびＰＳストリーミングサービス（ＰＳＳ）を含みうる。
【００２０】
[0030]   図２は、ＬＴＥネットワークアーキテクチャにおけるアクセスネットワーク２００の例を示す図である。この例では、アクセスネットワーク２００が、多数のセルラ領域（セル）２０２に分割される。１つまたは複数のより低い電力クラスのｅノードＢ ２０８は、セル２０２のうちの１つまたは複数と重なるセルラ領域２１０を有しうる。より低い電力クラスのｅノードＢ ２０８は、遠隔無線ヘッド（ＲＲＨ）、フェムトセル（例えば、ホームｅノードＢ（ＨｅＮＢ））、ピコセル、またはマイクロセル（a micro cell）でありうる。マクロｅノードＢ（macro eNodeBs） ２０４は、各々、それぞれのセル２０２に割り当てられ、セル２０２内の全てのＵＥ ２０６のために、ＥＰＣ １１０へのアクセスポイントを提供するように構成される。アクセスネットワーク２００のこの例には集中コントローラが存在しないが、代替の構成では、集中コントローラが使用されうる。ｅノードＢ ２０４は、無線ベアラ制御、アドミッション制御、モビリティ制御、スケジューリング、セキュリティ、およびサービングゲートウェイ１１６への接続性を含む、無線関連のすべての機能を担当する。
【００２１】
[0031]   アクセスネットワーク２００によって用いられる変調および多元接続スキームは、展開されている特定の電気通信規格に依存して変化しうる。ＬＴＥアプリケーションにおいて、周波数分割複信（ＦＤＤ）および時分割複信（ＴＤＤ）の両方をサポートするために、ＯＦＤＭがダウンリンクに使用され、ＳＣ−ＦＤＭＡがアップリンクに使用される。以下に続く詳細な説明から、当業者が容易に理解しうるように、本明細書に提示される様々な概念は、ＬＴＥアプリケーションにうまく適合される。しかしながら、これらの概念は、他の変調および多元接続技法を用いて、他の電気通信標準規格に容易に拡張されうる。例として、これらの概念は、エボリューション・データオプティマイズド（ＥＶ−ＤＯ）またはウルトラモバイルブロードバンド（ＵＭＢ）に拡張されうる。ＥＶ−ＤＯおよびＵＭＢは、ＣＤＭＡ２０００ファミリーの規格の一部として、第３世代パートナーシッププロジェクト２（３ＧＰＰ２）によって公表されたエアインターフェース規格であり、モバイル局にブロードバンド・インターネットアクセスを提供するためにＣＤＭＡを用いる。これらの概念はまた、広帯域ＣＤＭＡ（Ｗ−ＣＤＭＡ）、およびＴＤ−ＳＣＤＭＡのようなＣＤＭＡの他の変形を用いるユニバーサル地上無線アクセス（ＵＴＲＡ）、ＴＤＭＡを用いる移動通信のためのグローバルシステム（ＧＳＭ（登録商標））、およびＯＦＤＭＡを用いる、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、およびフラッシュＯＦＤＭに拡張されうる。ＵＴＲＡ、Ｅ−ＵＴＲＡ、ＵＭＴＳ、ＬＴＥ、およびＧＳＭは、３ＧＰＰの組織からの文書で説明される。ＣＤＭＡ２０００およびＵＭＢは、３ＧＰＰ２の組織からの文書において説明される。用いられる実際のワイヤレス通信規格および多元接続技術は、システムに課された全体的な設計の制約および特定のアプリケーションに依存するだろう。
【００２２】
[0032]   ｅノードＢ ２０４は、ＭＩＭＯ技術をサポートする複数のアンテナを有しうる。ＭＩＭＯ技術の使用は、ｅノードＢ ２０４が、空間多重化、ビームフォーミング、および送信ダイバーシティをサポートするために、空間ドメイン（spatial domain）を利用することを可能にする。空間多重化は、同じ周波数上で同時にデータの異なるストリームを送信するために使用されうる。それらのデータストリームは、データレートを増加させるために単一のＵＥ ２０６に送信されるか、または全体的なシステム容量を増加させるために複数のＵＥ ２０６に、送信されうる。これは、各データストリームを空間的にプリコーディングし（すなわち、振幅および位相のスケーリングを適用し）、その後ダウンリンク上の複数の送信アンテナを通して、各々の空間的にプリコーディングされたストリームを送信することによって達成される。空間的にプリコーディングされたデータストリームは、異なる空間シグニチャとともにＵＥ ２０６に到達し、それは、ＵＥ ２０６の各々に、そのＵＥ ２０６に宛てられた１つまたは複数のデータストリームを復元することを可能にさせる。アップリンク上において、各ＵＥ ２０６は、空間的にプリコーディングされたデータストリームを送信し、それは、ｅノードＢ ２０４が各々空間的にプリコーディングされたデータストリームのソースを識別することを可能にする。
【００２３】
[0033]   空間多重化は一般に、チャネル状況が良好な場合に使用される。チャネル状況がさほど良好でない場合、１つまたは複数の方向に送信エネルギーをフォーカスするために、ビームフォーミングが使用されうる。これは、複数のアンテナを通して、送信のためにデータを空間的にプリコーディングすることによって、達成されうる。セルの端で良好なカバレッジを達成するために、単一のストリームのビームフォーミング送信は、送信ダイバーシティと組み合わせて使用されうる。
【００２４】
[0034]   下記に続く詳細な説明において、アクセスネットワークの様々な態様が、ダウンリンク上でＯＦＤＭをサポートするＭＩＭＯシステムに関連して説明されるだろう。ＯＦＤＭは、ＯＦＤＭシンボル内の多数のサブキャリアにわたってデータを変調する拡散スペクトル技法である。これらのサブキャリアは、正確な周波数で間隔が空けられている（spaced apart at precise frequencies）。間隔を空けること（spacing）は、受信機がサブキャリアからデータを復元することを可能にする「直交性（orthogonality）」を提供する。時間ドメインにおいて、ＯＦＤＭシンボル間干渉（inter-OFDM-symbol interference）を抑制する（combat）ために、各ＯＦＤＭシンボルにガードインターバル（たとえば、サイクリックプリフィクス）が追加されうる。アップリンクは、高いピーク対平均電力比（ＰＡＰＲ）を補償する（compensate）ために、ＤＦＴ拡散ＯＦＤＭ信号（a DFT-spread OFDM signal）の形式でＳＣ−ＦＤＭＡを使用しうる。
【００２５】
[0035]   図３は、ＬＴＥにおけるダウンリンクフレーム構造の例を示す図３００である。フレーム（１０ｍｓ）が、１０個の等しいサイズのサブフレームに分割されうる。各サブフレームは、２つの連続するタイムスロット（two consecutive time slots）を含みうる。リソースグリッドは、２つのタイムスロットを表すために使用されることができ、各タイムスロットは、リソースブロックを含む。リソースグリッドは、複数のリソースエレメントに分割される。ＬＴＥにおいて、リソースブロックは、ノーマルサイクリックプリフィクスに関して、各ＯＦＤＭシンボル内に、周波数ドメインにおいて連続した１２個のサブキャリアを含み、時間ドメインにおいて連続した７個のＯＦＤＭシンボルを含み、合計で８４個のリソースエレメントを含んでいる。拡張サイクリックプリフィックスに関して、１つのリソースブロックは、時間ドメインにおいて連続した６個のＯＦＤＭシンボルを含んでおり、結果として７２個のリソースエレメントを含んでいる。Ｒ３０２、３０４として示されるリソースエレメントのいくつかは、ダウンリンク基準信号（ＤＬ−ＲＳ）を含む。ＤＬ−ＲＳは、セル固有のＲＳ（ＣＲＳ）（また、共通ＲＳと呼ばれることもある）３０２と、ＵＥ固有のＲＳ（ＵＥ−ＲＳ）３０４とを含む。ＵＥ−ＲＳ３０４は、対応する物理ダウンリンク共有チャネル（ＰＤＳＣＨ）がマッピングされたリソースブロックのみで送信される。各リソースエレメントによって搬送されるビット数は、変調スキームに依存する。よって、ＵＥが受信するリソースブロックが多いほど、また、変調スキームが高度であるほど、そのＵＥのためのデータレートは高くなる。
【００２６】
[0036]   図４は、ＬＴＥにおけるアップリンクフレーム構造の例を示す図４００である。アップリンクのために利用可能なリソースブロックは、データセクションおよび制御セクションに分割されうる。制御セクションは、システム帯域幅の両端に形成され、構成可能なサイズを有しうる。制御セクションのリソースブロックは、制御情報の送信のためにＵＥに割り当てられうる。データセクションは、制御セクションに含まれないすべてのリソースブロックを含みうる。アップリンクフレーム構造は、単一のＵＥにデータセクションにおける隣接するサブキャリア（contiguous subcarriers）のすべてが割り当てられることを可能にしうる、隣接するサブキャリアを含むデータセクションをもたらす。
【００２７】
[0037]   ＵＥは、ｅノードＢに制御情報を送信するために、制御セクションにおけるリソースブロック４１０ａ、４１０ｂが割り当てられうる。ＵＥはまた、ｅノードＢにデータを送信するために、データセクションにおけるリソースブロック４２０ａ、４２０ｂを割り当てられうる。このＵＥは、制御セクションにおいて割り当てられたリソースブロック上の、物理アップリンク制御チャネル（ＰＵＣＣＨ）において、制御情報を送信しうる。ＵＥは、データセクションにおける割り当てられたリソースブロック上の物理アップリンク共有チャネル（ＰＵＳＣＨ）において、データのみ、またはデータと制御情報の両方を送信しうる。アップリンク送信は、サブフレームの両スロットに及び（span）、周波数にわたってホッピングしうる。
【００２８】
[0038]   リソースブロックのセットは、物理ランダムアクセスチャネル（ＰＲＡＣＨ）４３０において、初期システムアクセスを行い、アップリンク同期を達成するために使用されうる。ＰＲＡＣＨ ４３０はランダムシーケンスを搬送する。各ランダムアクセスプリアンブルは、６つの連続するリソースブロックに対応する帯域幅を占有する。開始周波数は、ネットワークによって特定される。すなわち、ランダムアクセスプリアンブルの送信は、特定の時間および周波数リソースに限定される。ＰＲＡＣＨに関して周波数ホッピングはない（There is no frequency hopping）。ＰＲＡＣＨの試みは、単一のサブフレーム（１ｍｓ）において、またはいくつかの隣接するサブフレームのシーケンスにおいて搬送され、ＵＥは、１フレーム（１０ｍｓ）につき１つのＰＲＡＣＨの試みのみを行うことができる。
【００２９】
[0039]   図５は、ＬＴＥにおけるユーザプレーンおよび制御プレーンのための無線プロトコルアーキテクチャの例を示す図５００である。ＵＥおよびｅノードＢのための無線プロトコルアーキテクチャは、レイヤ１、レイヤ２、およびレイヤ３の３つの層で示される。レイヤ１（Ｌ１レイヤ）は、最下位のレイヤであり、様々な物理レイヤの信号処理機能を実装する。Ｌ１レイヤは、本明細書において、物理レイヤ５０６と呼ばれうる。レイヤ２（Ｌ２レイヤ）５０８は、物理レイヤ５０６よりも上位であり、物理レイヤ５０６を介したＵＥとｅノードＢとの間のリンクを担当する。
【００３０】
[0040]   ユーザプレーンにおいて、Ｌ２レイヤ５０８は、媒体アクセス制御（ＭＡＣ）サブレイヤ５１０、無線リンク制御（ＲＬＣ）サブレイヤ５１２、およびパケットデータコンバージェンスプロトコル（ＰＤＣＰ）５１４サブレイヤを含み、それらは、ネットワーク側のｅノードＢで終端する。図示されないが、ＵＥは、ネットワーク側のＰＤＮゲートウェイ１１８で終端するネットワークレイヤ（例えば、ＩＰレイヤ）、および接続の他の端（たとえば、遠端のＵＥ、サーバ等）で終端するアプリケーションレイヤを含む、Ｌ２レイヤ５０８よりも上の、いくつかの上位レイヤを有しうる。
【００３１】
[0041]   ＰＤＣＰサブレイヤ５１４は、異なる無線ベアラと論理チャネルとの間の多重化を提供する。ＰＤＣＰサブレイヤ５１４はまた、無線送信のオーバーヘッドを低減するために、上位レイヤのデータパケットに対してヘッダの圧縮を提供し、またそれらのデータパケットを暗号化することによってセキュリティを提供し、ｅノードＢ間でＵＥに対してハンドオーバーのサポートを提供する。ＲＬＣサブレイヤ５１２は、上位レイヤのデータパケットのリアセンブリおよびセグメンテーション、紛失データパケット（lost data packets）の再送信、およびハイブリッド自動再送要求（ＨＡＲＱ）のために順序が乱れた受信を補償するためのデータパケットの並び替えを提供する。ＭＡＣサブレイヤ５１０は、論理チャネルとトランスポートチャネルとの間の多重化を提供する。ＭＡＣサブレイヤ５１０はまた、ＵＥ間での１つのセルにおける様々な無線リソース（たとえば、リソースブロック）の割り当てを担当する。ＭＡＣサブレイヤ５１０はまた、ＨＡＲＱオペレーションを担当する。
【００３２】
[0042]   制御プレーンにおいて、ＵＥおよびｅノードＢのための無線プロトコルアーキテクチャは、制御プレーンではヘッダ圧縮機能がないことを除いて、物理レイヤ５０６およびＬ２レイヤ５０８の場合と実質的に同一である。制御プレーンはまた、レイヤ３（Ｌ３レイヤ）における無線リソース制御（ＲＲＣ）サブレイヤ５１６を含む。ＲＲＣサブレイヤ５１６は、無線リソース（すなわち、無線ベアラ）を得ること、およびｅノードＢとＵＥとの間でＲＲＣシグナリングを使用して下位レイヤを構成することを担当する。
【００３３】
[0043]   図６は、アクセスネットワークにおいてＵＥ ６５０と通信するｅノードＢ ６１０のブロック図である。ダウンリンクにおいて、コアネットワークから、上位レイヤのパケットが、コントローラ／プロセッサ６７５に提供される。コントローラ／プロセッサ６７５は、Ｌ２レイヤの機能を実装する。ダウンリンクにおいて、コントローラ／プロセッサ６７５は、ヘッダの圧縮、暗号化、パケットのセグメンテーションと並び替え、論理チャネルとトランスポートチャネルとの間の多重化、および様々な優先順位メトリックに基づいたＵＥ ６５０に対する無線リソース割当を提供する。コントローラ／プロセッサ６７５はまた、ＨＡＲＱオペレーション、紛失パケットの再送信、ＵＥ ６５０へのシグナリングを担当する。
【００３４】
[0044]   ＴＸプロセッサ６１６は、Ｌ１レイヤ（すなわち、物理レイヤ）のための様々な信号処理機能を実装する。信号処理機能は、ＵＥ ６５０における前方誤り訂正（ＦＥＣ）を容易にするように符号化およびインターリーブすること、また様々な変調スキーム（例えば、２相位相シフト・キーイング（ＢＰＳＫ）、４相位相シフト・キーイング（ＱＰＳＫ）、Ｍ相位相シフト・キーイング（Ｍ−ＰＳＫ）、Ｍ値直交振幅変調（Ｍ−ＱＡＭ））に基づいて信号コンステレーションにマッピングすることを含む。符号化され、変調されたシンボルは、次に、並行なストリームに分割される。各ストリームは、その後、ＯＦＤＭサブキャリアにマッピングされ、時間ドメインおよび／または周波数ドメインにおいて基準信号（たとえば、パイロット）で多重化され、そして、時間ドメインのＯＦＤＭシンボルストリームを搬送する物理チャネルを生成するために、逆高速フーリエ変換（ＩＦＦＴ）を使用して、ともに結合される（combined）。ＯＦＤＭストリームは、複数の空間ストリームを生成するために空間的にプリコーディングされる。チャネル推定器６７４からのチャネル推定値は、符号化および変調スキームを決定するために、ならびに空間処理のために、使用されうる。チャネル推定値は、ＵＥ ６５０によって送信される基準信号および／またはチャネル状況フィードバックから導出されうる。各空間ストリームは、別個の送信機６１８ ＴＸを介して異なるアンテナ６２０に提供される。各送信機６１８ ＴＸは、送信のためのそれぞれの空間ストリームでＲＦキャリアを変調する。
【００３５】
[0045]   ＵＥ ６５０において、各受信機６５４ ＲＸは、そのそれぞれのアンテナ６５２を通して、信号を受信する。各受信機６５４ ＲＸは、ＲＦキャリア上に変調された情報を復元し、受信機（ＲＸ）プロセッサ６５６にその情報を提供する。ＲＸプロセッサ６５６は、Ｌ１レイヤの様々な信号処理機能を実装する。ＲＸプロセッサ６５６は、ＵＥ ６５０に宛てられた任意の空間ストリームを復元するために、その情報に対し空間処理を行う。複数の空間ストリームがＵＥ ６５０に宛てられている場合、それらは、ＲＸプロセッサ６５６により単一のＯＦＤＭシンボルストリームに結合されうる。ＲＸプロセッサ６５６は、次に、高速フーリエ変換（ＦＦＴ）を使用して、ＯＦＤＭシンボルストリームを時間ドメインから周波数ドメインに変換する。周波数ドメイン信号は、ＯＦＤＭ信号の各サブキャリアに対する別個のＯＦＤＭシンボルストリームを備える。各サブキャリアにおけるシンボル、および基準信号は、ｅノードＢ ６１０によって送信された最も確からしい信号コンステレーションポイントを決定することによって、復元および復調される。これらの軟判定は、チャネル推定器６５８によって計算されたチャネル推定値に基づきうる。これらの軟判定は、次に、物理チャネルにおいてｅノードＢ ６１０により元々送信されたデータおよび制御信号を復元するために、復号およびデインターリーブされる。データおよび制御信号は、次に、コントローラ／プロセッサ６５９に提供される。
【００３６】
[0046]   コントローラ／プロセッサ６５９は、Ｌ２レイヤを実装する。コントローラ／プロセッサは、プログラムコードおよびデータを記憶するメモリ６６０に関連付けられることができる。メモリ６６０は、コンピュータ読み取り可能な媒体と呼ばれうる。アップリンクにおいて、コントローラ／プロセッサ６５９は、コアネットワークからの上位レイヤパケットを復元するために、トランスポートチャネルと論理チャネルとの間のデマルチプレクシング、パケットのリアセンブリ、解読、ヘッダの圧縮解除、制御信号処理を提供する。上位レイヤパケットは、次に、データシンク６６２に提供され、それは、Ｌ２レイヤより上位のすべてのプロトコルレイヤを表す。様々な制御信号もまた、Ｌ３処理のために、データシンク６６２に提供されうる。コントローラ／プロセッサ６５９はまた、ＨＡＲＱオペレーションをサポートするために、肯定応答（ＡＣＫ）および／または否定応答（ＮＡＣＫ）プロトコルを使用して、誤り検出を担当する。
【００３７】
[0047]   アップリンクにおいて、データソース６６７は、コントローラ／プロセッサ６５９に上位レイヤパケットを提供するために使用される。データソース６６７は、Ｌ２レイヤより上位のすべてのプロトコルレイヤを表す。ｅノードＢ ６１０によるダウンリンク送信に関連して説明された機能と同様に、コントローラ／プロセッサ６５９は、ヘッダの圧縮、暗号化、パケットのセグメンテーションと並び替え、およびｅノードＢ ６１０による無線リソース割当に基づいた論理チャネルとトランスポートチャネルとの間での多重化を提供することにより、ユーザプレーンおよび制御プレーンのためのＬ２レイヤを実装する。コントローラ／プロセッサ６５９はまた、ＨＡＲＱオペレーション、紛失パケットの再送信、ｅノードＢ ６１０へのシグナリングを担当する。
【００３８】
[0048]   ｅノードＢ ６１０によって送信された基準信号またはフィードバックからチャネル推定器６５８によって導出されたチャネル推定値は、適切な符号化および変調スキームを選択し、空間処理を容易にするために、ＴＸプロセッサ６６８によって使用されうる。ＴＸプロセッサ６６８によって生成された空間ストリームは、別個の送信機６５４ ＴＸを介して異なるアンテナ６５２に提供される。各送信機６５４ ＴＸは、ＲＦキャリアを、送信されるそれぞれの空間ストリームで変調する。
【００３９】
[0049]   アップリンク送信は、ＵＥ ６５０における受信機能に関連して説明されたものと同様の手法で、ｅノードＢ ６１０において処理される。それぞれの受信機６１８ ＲＸは、そのそれぞれのアンテナ６２０を通じて、信号を受信する。各受信機６１８ ＲＸは、ＲＦキャリア上に変調された情報を復元し、ＲＸプロセッサ６７０にその情報を提供する。ＲＸプロセッサ６７０は、Ｌ１レイヤを実装しうる。
【００４０】
[0050]   コントローラ／プロセッサ６７５は、Ｌ２レイヤを実装する。コントローラ／プロセッサ６７５は、プログラムコードおよびデータを記憶するメモリ６７６に関係付けられることができる。メモリ６７６は、コンピュータ読み取り可能な媒体と呼ばれうる。アップリンクにおいて、コントローラ／プロセッサ６７５は、ＵＥ ６５０からの上位レイヤパケットを復元するために、トランスポートチャネルと論理チャネルとの間のデマルチプレクシング、パケットのリアセンブリ、解読、ヘッダの圧縮解除、制御信号処理を提供する。コントローラ／プロセッサ６７５からの上位レイヤパケットは、コアネットワークに提供されうる。コントローラ／プロセッサ６７５はまた、ＨＡＲＱオペレーションをサポートするために、ＡＣＫおよび／またはＮＡＣＫプロトコルを使用して、誤り検出を担当する。
【００４１】
［ＰＤＳＣＨ−ＩＣを用いたＣＱＩ報告］
[0051]   ＬＴＥ／ＬＴＥ−Ａシステムにおいて、チャネル品質を示するために、ユーザ機器（ＵＥ）は、チャネル状態情報（ＣＳＩ）をｅノードＢに送信しうる。チャネル状態情報は、チャネル品質インジケータ（ＣＱＩ）、プリコーディング・マトリックスインジケータ（a precoding matrix indicator）（ＰＭＩ）、ランク指示（a rank indication）（ＲＩ）、およびサブバンドインデックスを含みうる。チャネル状態情報はまた、ＵＥで受けた干渉についての情報を含みうる。
【００４２】
[0052]   さらに、ＬＴＥ／ＬＴＥ−Ａシステムにおいて、ＣＱＩは、ダウンリンク送信データレート（すなわち、変調および符号化スキーム（ＭＣＳ）値）を示するために、ｅノードＢに送信される。ＣＱＩは、４ビットの整数値であることができ、ＵＥにおいて観測された信号対干渉および雑音電力比（ＳＩＮＲ）に基づきうる。ＣＱＩ推定処理はまた、検出のために使用される受信機のタイプおよびアンテナの数などの、ＵＥの能力に基づきうる。ＵＥによってサポートうるＭＣＳレベルが、様々なＵＥの能力に依存するため、ＵＥの能力は、ＣＱＩを決定することで特定されうる。加えて、ＣＱＩは、ダウンリンクスケジューリングおよびリンク適応のために、ｅノードＢによって使用されうる。
【００４３】
[0053]   物理ダウンリンク共有チャネル干渉除去（physical downlink shared channel interference cancellation）（ＰＤＳＣＨ−ＩＣ）のようなダウンリンクチャネル干渉除去が、ＵＥのような受信機において実装される場合、受信機は、ダウンリンクチャネル干渉除去処理の結果を反映するチャネル状態情報を報告すべきである。すなわち、チャネル状態情報におけるダウンリンク干渉情報は、物理ダウンリンク共有チャネル干渉除去を介して除去された、ダウンリンク干渉の量を示しうる。
【００４４】
[0054]   強化されたセル間干渉調整（ｅＩＣＩＣ）／さらなるｅＩＣＩＣ（ＦｅＩＣＩＣ）（例えば、ＬＴＥリリース１０）において、ｅノードＢは、ＵＥに関するチャネル状態情報の２つのセットを報告するように、ＵＥを構成しうる。チャネル状態情報の１つのセットは、クリーンサブフレーム（clean subframes）（例えば、干渉源（interferer）のほぼブランクのサブフレーム（ＡＢＳ：almost blank subframes））上でチャネル状態情報を報告しうる。クリーンサブフレーム上のチャネル状態情報は、クリーンチャネル状態情報と呼ばれうる。チャネル状態情報の別のセットは、非クリーンサブフレーム（unclean subframes）（例えば、干渉源の非ＡＢＳ（non-ABS））上でチャネル状態情報を報告しうる。非クリーンサブフレーム上のチャネル状態情報は、非クリーンチャネル状態情報と呼ばれうる。
【００４５】
[0055]   通常、ＵＥは、ｅノードＢにダウンリンク干渉を通知するために、ｅノードＢと通信しうる。さらに、ｅノードＢは、ダウンリンク誤り率（downlink error rate）を介してダウンリンク干渉を推定しうる。いくつかの場合において、ｅノードＢとＵＥとは、ダウンリンク干渉を軽減するために協働しうる。ある構成において、干渉がＵＥ内のラジオ（radios）による場合でさえ、ｅノードＢおよびＵＥは、干渉を軽減しうる。それでもはやり、典型的なシステムにおいて、ダウンリンク干渉推定は、干渉を軽減するのに十分でない可能性がある。
【００４６】
[0056]   図７のネットワークのようないくつかの環境において、第１のｅノードＢ ７０２に関連付けられた第１のＵＥ ７１２は、ダウンリンク７２０上の干渉を体験し得る（experience）。いくつかの場合において、干渉は、第２のＵＥ ７０６と第２のｅノードＢ ７０４との間の送信７１０から引き起こされうる。別の場合において、干渉は、第２のＵＥ ７０６と第１のｅノードＢ ７０２との間の送信７０８によって引き起こされうる。
【００４７】
[0057]   ある構成において、物理ダウンリンク共有チャネル干渉除去のようなダウンリンクチャネル干渉除去が、ＵＥにおいて実装される場合、ＵＥは、非ＡＢＳサブフレーム上のダウンリンク干渉を除去しうる。従って、ダウンリンク干渉除去の結果として、ＵＥは、非クリーンサブフレーム上の低減された干渉を体験し得る。すなわち、低減されたダウンリンク干渉の結果として、非クリーンチャネルの品質は、改善されうる。例えば、ダウンリンク干渉除去がゼロかそれに近かった（little to zero）場合、非クリーンチャネルの品質は、変わらないままである。反対に、除去が完璧であった場合、非クリーンチャネルの品質は、クリーンチャネルのものと等しいだろう。
【００４８】
[0058]   ＵＥは、いくつかのレベルの除去品質（cancellation quality）で、非クリーンサブフレーム上のダウンリンク干渉を部分的に除去することのみが可能でありうる。すなわち、ＵＥがサブフレーム上の干渉の全てを除去することができない場合、結果として生じる非クリーンチャネルの品質は、非クリーンサブフレーム上で体験した残留干渉（residual interference）を干渉除去後に反映しうる。サブフレームに関して結果として生じるチャネル品質が、クリーンでも非クリーンでもない場合、ＵＥが、結果として生じるチャネル品質をｅノードＢに伝達することが望ましい。本開示において、非クリーンチャネル上で除去後の残留ダウンリンク干渉を反映するチャネル品質は、準クリーンチャネル状態情報（quasi-clean channel state information）と呼ばれうる。非クリーンチャネル上の干渉が部分的に除去される場合、これに対応するチャネル状態情報は、準クリーンチャネル状態情報と呼ばれうる。下記で説明される態様は、準クリーンチャネル状態情報を計算および報告することを対象とする。
【００４９】
[0059]   非クリーンサブフレーム上の干渉が部分的に除去される場合、干渉除去の量は、様々なパラメータに依存しうる。これは、ＵＥの干渉除去能力／品質が、これらのパラメータに依存しうるためである。これらのパラメータは、干渉信号の受信信号強度、支配的な干渉信号（dominant interfering signals）の数、干渉信号の空間スキーム、干渉信号の変調オーダ（a modulation order）、干渉信号の符号レート（a code rate）、干渉信号のリソースブロック（ＲＢ）割当、および／または干渉信号を除去するために使用されるアルゴリズムを含みうるが、これらに限定されない。パラメータはまた、干渉信号の送信モードを含みうる。送信モードは、干渉信号が、共通基準信号（ＣＲＳ）のようなセル固有基準信号、またはＵＥ基準信号（ＵＥ−ＲＳ）のようなユーザ機器固有基準信号であるかどうかを参照する。ある構成によると、干渉信号は、物理ダウンリンク共有チャネル（ＰＤＳＣＨ）のような、ダウンリンクチャネルである。
【００５０】
[0060]   ある構成によると、パラメータは、ｅノードＢからＵＥへシグナリングされうる。ｅノードＢは、ＣＳＩが測定された基準サブフレーム上で送信される干渉信号に関連付けられた、実パラメータを反映する、または反映しない可能性があるパラメータをシグナリングしうる。
【００５１】
[0061]   干渉信号パラメータに関連付けられた実パラメータを反映しないパラメータは、擬似パラメータ（pseudo-parameters）または仮想パラメータと呼ばれうる。別の構成において、ｅノードＢからＵＥへ送信されるパラメータは、干渉信号パラメータに関連付けられた実パタメータでありうる。代替として、別の構成によると、パラメータは、ＵＥにおいて決定されるか、または推定されうる。この構成において、ｅノードＢは、パラメータをＵＥにシグナリングしない。ある構成において、ＵＥは、特定の基準に基づいて、擬似パラメータを選択し、および／または擬似パラメータを推定する。ＵＥは、ｅノードＢに、選択された擬似パラメータを送信しうる。別の構成において、ＵＥは、基準信号上で送信された干渉信号に関連づけられた実パラメータを決定する。実パラメータがＵＥにシグナリングされない場合、ＵＥは、実パラメータを決定するためにブラインド検出（blind detection）を行いうる。ＵＥは、ｅノードＢに、盲目的に（blindly）検出されたパラメータを送信しうる。
【００５２】
[0062]   これまで説明されたように、ある構成において、ＵＥは、擬似パラメータに基づいて準クリーンチャネル状態情報を決定する。擬似パラメータは、ｅノードＢから送信された擬似パラメータ、および／またはＵＥにおいて選択または推定された擬似パラメータでありうる。この構成において、ＵＥは、擬似パラメータに基づいて、干渉を実際には除去しない可能性がある。むしろ、パラメータが擬似パラメータである場合、ＵＥは、いずれの実際の干渉除去も行うことなく、準クリーンチャネル状態情報を間接的に導出する。よって、ＵＥは、擬似パラメータに基づいて除去されうる干渉の量を決定しうる。
【００５３】
[0063]   除去されうる干渉の量は、干渉除去品質と呼ばれうる。ＵＥは、決定された干渉除去品質に基づいて、準クリーンチャネル状態情報を報告する。具体的には、準クリーンチャネル状態情報は、チャネル品質およびダウンリンク干渉除去を反映する。さらに、ＵＥはまた、ｅノードＢに、準クリーンチャネル状態情報とともに、選択された擬似パラメータおよび／または推定された擬似パラメータを報告しうる。
【００５４】
[0064]   別の構成において、ＵＥは、実パラメータに基づいて準クリーンチャネル状態情報を決定する。実パラメータは、ＵＥへシグナリングされたパラメータ、および／またはＵＥによって決定された実パラメータでありうる。この構成において、ＵＥは、実パラメータに基づいて干渉を除去し、且つ結果として生じる準クリーンチャネル状態情報を決定する。
【００５５】
[0065]   代替として、別の構成において、ＵＥは、実パラメータでダウンリンク干渉を実際には除去しない可能性がある。むしろ、ＵＥは、実パラメータに基づいて、除去されうるダウンリンク干渉の量を決定しうる。この構成において、ＵＥは、実パラメータに基づいて決定された仮想ダウンリンク干渉除去品質（hypothetical downlink interference cancellation quality）に基づいて、準クリーンチャネル状態を報告し得る。
【００５６】
[0066]   ダウンリンクチャネル干渉除去が可能なＵＥに関して、ＵＥは、クリーンチャネル状態情報および／または非クリーンチャネル状態情報に加えて、準クリーンチャネル状態情報を報告する。ある構成において、ｅノードＢは、クリーンチャネル状態情報および非クリーンチャネル状態情報に加えて、準クリーンチャネル状態情報を含むように報告を構成する。別の構成よると、ｅノードＢは、クリーンチャネル状態情報の代わりに、準クリーンチャネル状態情報を含むように報告を構成する。具体的には、この構成において、ＵＥは、非クリーンチャネル状態情報、および準クリーンチャネル状態情報のみを報告する。さらに別の構成によると、ｅノードＢは、非クリーンチャネル状態情報の代わりに、準クリーンチャネル状態情報を含むように報告を構成する。すなわち、この構成において、ＵＥは、クリーンチャネル状態情報、および準クリーンチャネル状態情報のみを報告する。
【００５７】
[0067]   さらに別の構成によると、報告は、ＵＥによって自律的に構成されうる。例えば、ＵＥは、クリーンチャネル状態情報の代わりに、準クリーンチャネル状態情報を自律的に報告しうる。具体的には、ＵＥは、非クリーンチャネル状態情報、および準クリーンチャネル状態情報のみを報告する。別の構成において、ＵＥは、非クリーンチャネル状態情報の代わりに、準クリーンチャネル状態情報を自律的に報告しうる。すなわち、ＵＥは、クリーンチャネル状態情報、および準クリーンチャネル状態情報のみを報告する。
【００５８】
[0068]   ある構成において、ＵＥは、準クリーンチャネル状態情報の１つのセット、または準クリーンチャネル状態情報の複数のセットを報告しうる。各準クリーンチャネル状態情報のセットは、パラメータのセットに関連付けられる。これまで説明されたように、パラメータは、ＵＥによって選択または推定されたパラメータまたはｅノードＢから送信された擬似パラメータでありうる。さらに、パラメータは、ＵＥによって決定された実パラメータまたはｅノードＢから送信された実パラメータでありうる。
【００５９】
[0069]   ＵＥが、報告するための準クリーンチャネル状態情報の複数のセットを有する場合に、ＵＥは、クリーンチャネル状態情報および／または非クリーンチャネル状態情報とともに準クリーンチャネル状態情報を報告する場合、準クリーンチャネル状態情報のセットを周期的に繰り返し（cycle through）うる。準クリーンチャネル状態情報の異なるセットは、各報告期間において報告される。例えば、上述されたように、ｅノードＢは、準クリーンチャネル状態情報および非クリーンチャネル状態情報を報告するようにＵＥを構成しうる。従って、ＵＥが、報告するための準クリーンチャネル状態情報の複数のセットを有する場合、異なる準クリーンチャネル状態情報が次の期間において報告されるように、ＵＥは、準クリーンチャネル状態情報のうちの１つを報告し、各報告期間中、準クリーンチャネル状態情報のセットを周期的に繰り返すだろう。
【００６０】
[0070]   別の構成によると、準クリーンチャネル状態情報を明示的に報告する代わりに、ＵＥは、干渉除去効率を報告しうる。干渉除去効率は、パラメータに基づいて、除去されるであろう干渉の量を参照しうる。具体的には、ＵＥは、チャネル品質インジケータとダウンリンク干渉の量との両方を含むチャネル状態情報を報告しない。むしろ、ＵＥは、パラメータに基づいて除去されるであろう干渉の量のみを報告する。干渉除去効率は、パーセンテージのような値でありうる。
【００６１】
[0071]   報告およびパラメータの選択は、これまで説明された構成に類似しうる。ある構成において、パラメータは、ｅノードＢからシグナリングされた擬似パラメータでありうる。別の構成において、パラメータは、ｅノードＢから送信された実パラメータでありうる。さらに別の構成において、パラメータは、ＵＥによって選択または推定される擬似パラメータでありうる。最後に、別の構成において、パラメータは、ＵＥによって決定された実パラメータでありうる。
【００６２】
[0072]   ダウンリンク干渉除去効率、基準信号受信電力（ＲＳＲＰ）、ＵＥによって報告されたクリーンおよび非クリーンチャネル状態情報に基づいて、ｅノードＢは、ＵＥに関する準クリーンチャネル状態情報を再構成しうる。完璧な除去効率、およびゼロの除去効率を有するチャネル品質情報が、それぞれ、クリーンおよび非クリーンチャネル状態情報と等しいため、ｅノードＢは、決定されたチャネル状態情報または報告された除去効率に基づいて、準クリーンチャネル状態情報を決定しうる。
【００６３】
[0073]   図８は、例示的な装置８００において異なるモジュール／手段／コンポーネント間のデータフローを図示する概念的なデータフロー図である。装置８００は、干渉ダウンリンク送信に関連付けられたパラメータを決定するパラメータモジュール８０２を含む。ある構成において、パラメータは、受信モジュール８０６において受信された信号８１０を介して受信されうる。この構成において、受信モジュールは、パラメータをパラメータモジュール８０２に送信する。別の構成において、パラメータは、パラメータモジュール８０２において決定される。
【００６４】
[0074]   装置８００はまた、干渉ダウンリンク送信から除去された干渉の量を反映するメトリックを決定する、メトリックモジュール８０４を含む。ある構成において、除去された干渉の量は、パラメータに基づいている。パラメータモジュール８０２は、メトリックモジュール８０４にパラメータを送信しうる。さらに、干渉ダウンリンク送信は、受信モジュール８０６において受信された信号８１０を介して決定されうる。受信モジュール８０６は、干渉ダウンリンク送信についての情報をメトリックモジュール８０４に送信しうる。
【００６５】
[0075]   装置８００は、送信モジュール８０８を介して送信された信号８１２を使用して、メトリックを送信する。具体的には、メトリックモジュール８０４は、送信モジュール８０８にメトリックを送信しうる。装置は、図１０の後述のフローチャートにおける処理のステップの各々を行う、追加のモジュールを含みうる。このように、後述のフローチャートの図１０における各ステップはモジュールによって行われ、装置は、それらのモジュールのうちの１つまたは複数を含みうる。モジュールは、記載されたプロセス／アルゴリズムを搬送するように特に構成され、記載されたプロセス／アルゴリズムを行うように構成されたプロセッサによって実装され、プロセッサによる実装のためにコンピュータ読み取り可能な媒体内に記憶された、またはそれらのいくつかの組み合わせである、１つまたは複数のハードウェアコンポーネントでありうる。
【００６６】
[0076]   図９は、処理システム９１４を用いる装置９００のためのハードウェア実装の例を示す図である。処理システム９１４は、バス９２４によって一般に表されるバスアーキテクチャで実装されうる。バス９２４は、処理システム９１４の特定のアプリケーションと全体的な設計の制約に依存して、任意の数の相互接続バスおよびブリッジを含みうる。バス９２４は、プロセッサ９２２、モジュール９０２、９０４、９０６およびコンピュータ読取可能な媒体９２６によって表された、１つまたは複数のプロセッサおよび／またはハードウェアモジュールを含む、様々な回路を共にリンクさせる。バス９２４は、タイミングソース、周辺機器、電圧レギュレータ、および電力管理回路のような様々な他の回路もまたリンクさせることができ、これらは、当該技術分野で周知であるので、これ以上説明されない。
【００６７】
[0077]   装置は、トランシーバ９３０と結合された処理システム９１４を含む。トランシーバ９３０は、１つまたは複数のアンテナ９２０に結合される。トランシーバ９３０は、送信媒体を介して様々な他の装置と通信することができる。処理システム９１４は、コンピュータ読み取り可能な媒体９２６に結合されたプロセッサ９２２を含む。プロセッサ９２２は、コンピュータ読み取り可能な媒体９２６に記憶されたソフトウェアの実行を含む、一般的な処理を担当する。このソフトウェアは、プロセッサ９２２によって実行される場合、処理システム９１４に、任意の特定の装置に関して説明された様々な機能を行わせる。コンピュータ読み取り可能な媒体９２６はまた、ソフトウェアを実行する場合、プロセッサ９２２によって操作されるデータを記憶するために使用されうる。
【００６８】
[0078]   処理システム９１４は、干渉ダウンリンク送信に関連付けられたパラメータを決定するためのパラメータモジュール９０２を含む。処理システム９１４はまた、パラメータに少なくとも部分的に基づいて、干渉ダウンリンク送信から除去された干渉の量を反映するメトリックを決定するための、メトリックモジュール９０４を含む。処理システム９１４はさらに、メトリックを送信するための送信モジュール９０６を含みうる。モジュールは、プロセッサ９２２において稼働し、コンピュータ読み取り可能な媒体９２６に内在し／記憶されたソフトウェアモジュール、プロセッサ９２２に結合された１つまたは複数のハードウェアモジュール、またはそれらのいくつかの組み合わせでありうる。処理システム９１４は、ＵＥ ６５０のコンポーネントであり、メモリ６６０および／または、コントローラ／プロセッサ６５９を含みうる。
【００６９】
[0079]   図１０は、パラメータに基づいて干渉除去の量を決定するための方法１０００を図示する。ブロック１００２において、ＵＥは、干渉ダウンリンク送信に関連付けられたパラメータを決定する。ある構成において、パラメータは、ｅノードＢからＵＥへシグナリングされる。別の構成において、パラメータは、ＵＥにおいて決定される。パラメータは、仮想パラメータであるか、または実パラメータでありうる。パラメータは、干渉信号の受信信号強度、支配的な干渉信号の数、干渉信号の空間スキーム、干渉信号の変調オーダ、干渉信号の符号レート、干渉信号のリソースブロック（ＲＢ）割当、および／または干渉信号の除去に使用されるアルゴリズムを含みうるが、これらに限定されない。
【００７０】
[0080]   ＵＥは、ブロック１００４において干渉ダウンリンク送信から除去された干渉の量を反映するメトリックを決定する。メトリックは、パラメータに基づいて決定される。ある構成において、メトリックは、チャネル品質を含み、除去されたダウンリンク干渉の量を反映する準クリーンチャネル状態情報である。別の構成において、メトリックは、除去されるか、または潜在的に除去されうる干渉の量のみを反映する、除去効率である。
【００７１】
[0081]   さらに、ブロック１００６において、ＵＥは、メトリックを送信する。ある構成において、ＵＥは、ＵＥにおいて決定されるパラメータを送信することに加えて、メトリックを送信する。
【００７２】
[0082]   図１１は、ｅノードＢにおける干渉除去能力のメトリックを受信するための方法１１００を図示する。ブロック１１０２において、ｅノードＢは、ＵＥにチャネル品質報告情報を送信する。チャネル品質報告情報は、メトリックを報告するためのサブフレームの第１のセット、およびメトリックを報告するためのサブフレームの第２のセットを含みうる。ある構成において、サブフレームの第１のセットは、クリーンサブフレームであり、且つサブフレームの第２のセットは、非クリーンサブフレームである。別の構成において、サブフレームの第１のセットは、クリーンサブフレームであり、且つサブフレームの第２のセットは、準クリーンサブフレームである。さらに別の構成において、サブフレームの第１のセットは、非クリーンサブフレームであり、且つサブフレームの第２のセットは、準クリーンサブフレームである
[0083]   加えて、ブロック１１０４において、ｅノードＢは、ＵＥに、干渉ダウンリンク送信に関連付けられたパラメータを送信する。パラメータは、仮想パラメータであるか、または実パラメータでありうる。パラメータは、干渉信号の受信信号強度、支配的な干渉信号の数、干渉信号の空間スキーム、干渉信号の変調オーダ、干渉信号の符号レート、干渉信号のリソースブロック（ＲＢ）割当、および／または干渉信号の除去に使用されるアルゴリズムを含みうるが、これらに限定されない。
【００７３】
[0084]   最後に、ブロック１１０６において、ｅノードＢは、ＵＥからメトリックを受信する。メトリックは、サブフレームの第１のセット、またはサブフレームの第２のセットに関連付けられた、ＵＥにおける干渉除去能力に対応しうる。メトリックは、チャネル状態情報または干渉除去効率を含みうる。
【００７４】
[0085]   メトリックが干渉除去効率である場合、ｅノードＢは、ＵＥによって報告された、干渉除去効率、基準信号受信電力（ＲＳＲＰ）、クリーンおよび非クリーンチャネル状態情報に基づいて、準クリーンチャネル状態情報を再構成しうる。
【００７５】
[0086]   ある態様において、ＵＥ ６５０は、決定するための手段を含むワイヤレス通信のために構成される。ある態様において、決定する手段は、決定する手段によって記載された機能を行うように構成された、コントローラ／プロセッサ６５９、メモリ６６０、および／または受信プロセッサ６５６でありうる。ＵＥ ６５０はまた、送信するための手段を含むワイヤレス通信のために構成される。ある態様において、送信する手段は、送信する手段によって記載された機能を行うように構成された、コントローラ／プロセッサ６５９、送信プロセッサ６６８、変調器６５４、および／またはアンテナ６５２でありうる。別の態様において、上述された手段は、上述された手段によって記載された機能を行うように構成された任意のモジュールまたは任意の装置でありうる。
【００７６】
[0087]   当業者はさらに、本明細書の開示に関連して説明される、様々な実例となる論理ブロック、モジュール、回路、アルゴリズムステップが、電子ハードウェア、コンピュータソフトウェアまたは両方の組み合わせとして実装しうることを理解するだろう。ハードウェアおよびソフトウェアの互換性を明確に示すために、様々な実例となるコンポーネント、ブロック、モジュール、回路、およびステップが、一般にそれらの機能の観点から上記で説明されている。このような機能が、ハードウェアとして実装されるか、あるいはソフトウェアとして実装されるかは、特定のアプリケーションおよびシステム全体に課せられる設計制約に依存する。当業者は、各々の特定のアプリケーションに関して、多様な方法で説明された機能を実装しうるが、このような実装の決定は、本開示の範囲からの逸脱を引き起こしていると解釈されるべきではない。
【００７７】
[0088]   本明細書における開示に関連して説明された様々な実例となる論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、離散ゲートまたはトランジスタ論理、離散ハードウェアコンポーネント、または本明細書において説明された機能を行うように設計されたそれらの任意の組み合わせを用いて、実装または実行されうる。汎用プロセッサは、マイクロプロセッサでありうるが、代替において、このプロセッサは、任意の従来のプロセッサ、コントローラ、マイクロコントローラ、またはステートマシンでありうる。プロセッサはまた、例えば、ＤＳＰとマイクロプロセッサの組み合わせ、複数のマイクロプロセッサ、ＤＳＰコアと連携した１つまたは複数のマイクロプロセッサ、または任意の他のこのような構成のような、コンピューティングデバイスの組み合わせとして実装されうる。
【００７８】
[0089]   本明細書の開示に関連して説明される方法またはアルゴリズムのステップは、直接的にハードウェアに、プロセッサによって実行されるソフトウェアモジュールに、またはこれら二つの組み合わせに組み込まれうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ、または当該技術分野において周知の任意の他の形式の記憶媒体内に存在しうる。プロセッサが記憶媒体から情報を読み取ったり、記憶媒体に情報を書き込んだりできるように、例示的な記憶媒体はプロセッサに結合される。代替において、記憶媒体は、プロセッサと一体化されうる。プロセッサおよび記憶媒体は、ＡＳＩＣ内に存在しうる。ＡＳＩＣは、ユーザ端末内に存在しうる。代替において、プロセッサおよび記憶媒体は、ユーザ端末内のディスクリートコンポーネントとして存在しうる。
【００７９】
[0090]   １つまたは複数の例示的な設計において、説明された機能は、ハードウェア、ソフトウェア、ファームウェア、またはそれらの任意の組み合わせで実現されうる。ソフトウェアで実装される場合、これら機能は、コンピュータ読み取り可能な媒体上で、１つまたは複数の命令またはコードとして送信または記憶されうる。コンピュータ読み取り可能な媒体は、ある場所から別の場所へ、コンピュータプログラムの転送を容易にする任意の媒体を含む通信媒体およびコンピュータ記憶媒体の両方を含む。記憶媒体は、汎用または専用コンピュータによってアクセスされることができる任意の利用可能な媒体でありうる。例として、また限定されないが、このようなコンピュータ読み取り可能な媒体は、ＲＡＭ、ＲＯＭ、ＥＥＰＲＯＭ、ＣＤ−ＲＯＭまたは他の光学ディスクストレージ、磁気ディスクストレージまたは他の磁気ストレージデバイス、あるいは、命令またはデータストラクチャの形式において所望のプログラムコード手段を保存または搬送するために使用されることができ、且つ汎用または専用コンピュータまたは汎用または専用プロセッサによってアクセスされることができる、任意の他の媒体を備えることができる。また、任意の接続は、コンピュータ読み取り可能な媒体と厳密には呼ばれうる。例えば、ソフトウェアが、ウェブサイトから、サーバから、あるいは、同軸ケーブル、ファイバ光ケーブル、ツイストペア、デジタル加入者線（ＤＳＬ）、または赤外線、無線、およびマイクロ波のようなワイヤレス技術を使用する他の遠隔ソースから送信される場合、同軸ケーブル、ファイバ光ケーブル、ツイストペア、ＤＳＬ、または赤外線、無線、マイクロ波のようなワイヤレス技術は、媒体の定義に含まれる。本明細書で使用される場合、ディスク（Disk）およびディスク（disc）は、コンパクトディスク（ＣＤ）、レーザーディスク（登録商標）、光ディスク、デジタル多用途ディスク（ＤＶＤ）、フロッピー（登録商標）ディスクおよびブルーレイ（登録商標）ディスクを含み、ここで、ディスク（disks）が通常磁気的にデータを再生する一方、ディスク（discs）は、レーザを用いて光学的にデータを再生する。上記の組み合わせもまた、コンピュータ読み取り可能な媒体の範囲内に含まれるべきである。
【００８０】
[0091]   本開示の上述説明は、当業者が本開示を実施または使用することを可能にするように提供される。本開示に対する様々な変更は、当業者には容易に明らかであり、本明細書で定義された包括的な原理は、本開示の精神または範囲から逸脱することなく他の変形に適用されうる。よって、本開示は、本明細書において説明される例および設計に限定されるように意図されたものではなく、本明細書において開示された原理および新規の特徴と矛盾しない最大範囲であると認められるべきである。
【図１】
2015527794.tif 000003
【図２】
2015527794.tif 000004
【図３】
2015527794.tif 000005
【図４】
2015527794.tif 000006
【図５】
2015527794.tif 000007
【図６】
2015527794.tif 000008
【図７】
2015527794.tif 000009
【図８】
2015527794.tif 000010
【図９】
2015527794.tif 000011
【図１０】
2015527794.tif 000012
【図１１】
2015527794.tif 000013
【手続補正書】
【提出日】平成27年3月24日(2015.3.24)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
干渉ダウンリンク送信に関連付けられたパラメータを決定することと、
前記パラメータに少なくとも部分的に基づいて、干渉データチャネル送信から除去された干渉の量を反映するメトリックを決定することと、
前記メトリックをｅノードＢに送信することと
を備える、方法。
【請求項２】
チャネル品質報告情報を受信することをさらに備え、前記チャネル品質報告情報は、前記メトリックを報告するためのサブフレームの第１のセットと、前記メトリックを報告するためのサブフレームの第２のセットとを含み、前記サブフレームの第１のセットおよびサブフレームの第２のセットは、異なる干渉プロファイルを有する、請求項１に記載の方法。
【請求項３】
前記サブフレームの第１のセットは、クリーンサブフレーム（clean subframes）であり、且つ前記サブフレームの第２のセット は、非クリーンサブフレームであるか、
前記サブフレームの第１のセットは、クリーンサブフレームであり、且つ前記サブフレームの第２のセットは、準クリーンサブフレームであるか、または
前記サブフレームの第１のセットは、非クリーンサブフレームであり、且つ前記サブフレームの第２のセットは、準クリーンサブフレームである、請求項２に記載の方法。
【請求項４】
前記メトリックは、準クリーンチャネル状態情報（ＣＳＩ）である、請求項１に記載の方法。
【請求項５】
前記準クリーンＣＳＩは、チャネル品質インジケータ（ＣＱＩ）、前記干渉ダウンリンク送信からの干渉の量、プリコーディングマトリックスインジケータ（ＰＭＩ）、ランク指示（ＲＩ）、サブバンドインデックス、またはそれらの組み合わせのうちの１つまたは複数を含む、請求項４に記載の方法。
【請求項６】
前記準クリーンＣＳＩは、複数の準クリーンＣＳＩセットを含み、各準クリーンＣＳＩセットは、パラメータの異なるセットに関連付けられる、請求項４に記載の方法。
【請求項７】
前記メトリックを送信することは、複数の報告インスタンスにおいて前記メトリックを報告することと、前記複数の報告インスタンスにわたって前記複数の準クリーンＣＳＩセットを周期的に繰り返すことをさらに備える、請求項６に記載の方法。
【請求項８】
前記メトリックは、干渉除去効率値である、請求項１に記載の方法。
【請求項９】
前記パラメータは、前記ｅノードＢから送信されるか、またはＵＥにおいて決定される、請求項１に記載の方法。
【請求項１０】
前記パラメータは、前記干渉データチャネル送信に関連付けられ、前記パラメータは、前記干渉データチャネル送信に関連付けられた実パラメータ、前記干渉データチャネル送信に関連付けられた実パラメータではない仮想パラメータ、またはそれらの組み合わせを含む、請求項９に記載方法。
【請求項１１】
前記メトリックは、前記パラメータが前記仮想パラメータである場合、仮想干渉除去に少なくとも部分的に基づいて間接的に決定され、
前記メトリックは、前記パラメータが前記実パラメータである場合、実際の干渉除去に少なくとも部分的に基づいて直接的に決定される、請求項１０に記載の方法。
【請求項１２】
ワイヤレス通信のための装置であって、
メモリと
前記メモリに結合された少なくとも１つのプロセッサと
を備え、
前記少なくとも１つのプロセッサは、
干渉ダウンリンク送信に関連付けられたパラメータを決定し、
前記パラメータに少なくとも部分的に基づいて、干渉データチャネル送信から除去された干渉の量を反映するメトリックを決定し、
前記メトリックをｅノードＢに送信する
ように構成される、装置。
【請求項１３】
前記少なくとも１つのプロセッサはさらに、チャネル品質報告情報を受信するように構成され、前記チャネル品質報告情報は、前記メトリックを報告するためのサブフレームの第１のセットと、前記メトリックを報告するためのサブフレームの第２のセットとを含み、前記サブフレームの第１のセットおよびサブフレームの第２のセットは、異なる干渉プロファイルを有する、請求項１２に記載の装置。
【請求項１４】
前記サブフレームの第１のセット は、クリーンサブフレームであり、且つ前記サブフレームの第２のセット は、非クリーンサブフレームであるか、
前記サブフレームの第１のセットは、クリーンサブフレームであり、且つ前記サブフレームの第２のセットは、準クリーンサブフレームであるか、または
前記サブフレームの第１のセットは、非クリーンサブフレームであり、且つ前記サブフレームの第２のセットは、準クリーンサブフレームである、請求項１３に記載の装置。
【請求項１５】
前記メトリックは、準クリーンチャネル状態情報（ＣＳＩ）である、請求項１２に記載の装置。
【請求項１６】
前記準クリーンＣＳＩは、チャネル品質インジケータ（ＣＱＩ）、前記干渉ダウンリンク送信からの干渉の量、プリコーディングマトリックスインジケータ（ＰＭＩ）、ランク指示（ＲＩ）、サブバンドインデックス、またはそれらの組み合わせのうちの１つまたは複数を含む、請求項１５に記載の装置。
【請求項１７】
前記準クリーンＣＳＩは、複数の準クリーンＣＳＩセットを含み、各準クリーンＣＳＩセットは、パラメータの異なるセットに関連付けられる、請求項１５に記載の装置。
【請求項１８】
前記少なくとも１つのプロセッサは、複数の報告インスタンスにおいて前記メトリックを報告し、前記複数の報告インスタンスにわたって前記複数の準クリーンＣＳＩセットを周期的に繰り返すようにさらに構成される、請求項１７に記載の装置。
【請求項１９】
前記メトリックは、干渉除去効率値である、請求項１２に記載の装置。
【請求項２０】
前記パラメータは、前記ｅノードＢから送信されるか、またはＵＥにおいて決定される、請求項１２に記載の装置。
【請求項２１】
前記パラメータは、前記干渉データチャネル送信に関連付けられ、前記パラメータは、前記干渉データチャネル送信に関連付けられた実パラメータ、前記干渉データチャネル送信に関連付けられた実パラメータではない仮想パラメータ、またはそれらの組み合わせを含む、請求項２０に記載の装置。
【請求項２２】
前記少なくとも１つのプロセッサはさらに、
前記パラメータが前記仮想パラメータである場合、仮想干渉除去に少なくとも部分的に基づいて前記メトリックを間接的に決定し、
前記パラメータが前記実パラメータである場合、実際の干渉除去に少なくとも部分的に基づいて前記メトリックを直接的に決定する
ように構成される、請求項２１に記載の装置。
【請求項２３】
ワイヤレス通信のための装置であって、
干渉ダウンリンク送信に関連付けられたパラメータを決定するための手段と、
前記パラメータに少なくとも部分的に基づいて、干渉データチャネル送信から除去された干渉の量を反映するメトリックを決定するための手段と、
前記メトリックをｅノードＢに送信するための手段と
を備える、装置。
【請求項２４】
ワイヤレス通信のための、プログラムコードを記憶するコンピュータ読み取り可能な記憶媒体であって、
前記プログラムコードは、
少なくとも１つのプロセッサに、干渉ダウンリンク送信に関連付けられたパラメータを決定させるためのプログラムコードと、
前記少なくとも１つのプロセッサに、前記パラメータに少なくとも部分的に基づいて、干渉データチャネル送信から除去された干渉の量を反映するメトリックを決定させるためのプログラムコードと、
前記少なくとも１つのプロセッサに、前記メトリックをｅノードＢに送信させるためのプログラムコードと
を備える、コンピュータ読み取り可能な記憶媒体。
【手続補正２】
【補正対象書類名】明細書
【補正対象項目名】００８０
【補正方法】変更
【補正の内容】
【００８０】
[0091]   本開示の上述説明は、当業者が本開示を実施または使用することを可能にするように提供される。本開示に対する様々な変更は、当業者には容易に明らかであり、本明細書で定義された包括的な原理は、本開示の精神または範囲から逸脱することなく他の変形に適用されうる。よって、本開示は、本明細書において説明される例および設計に限定されるように意図されたものではなく、本明細書において開示された原理および新規の特徴と矛盾しない最大範囲であると認められるべきである。
なお、本願の出願当初の請求項と同一の記載を以下に付記する。
［Ｃ１］ ワイヤレス通信の方法であって、
干渉ダウンリンク送信に関連付けられたパラメータを決定することと、
前記パラメータに少なくとも部分的に基づいて、干渉データチャネル送信から除去された干渉の量を反映するメトリックを決定することと、
前記メトリックをｅノードＢに送信することと
を備える、方法。
［Ｃ２］チャネル品質報告情報を受信することをさらに備え、前記チャネル品質報告情報は、前記メトリックを報告するためのサブフレームの第１のセットと、前記メトリックを報告するためのサブフレームの第２のセットとを含み、前記サブフレームの第１のセットおよびサブフレームの第２のセットは、異なる干渉プロファイルを有する、Ｃ１に記載の方法。
［Ｃ３］ 前記サブフレームの第１のセットは、クリーンサブフレーム（clean subframes）であり、且つ前記サブフレームの第２のセット は、非クリーンサブフレームであるか、
前記サブフレームの第１のセットは、クリーンサブフレームであり、且つ前記サブフレームの第２のセットは、準クリーンサブフレームであるか、または
前記サブフレームの第１のセットは、非クリーンサブフレームであり、且つ前記サブフレームの第２のセットは、準クリーンサブフレームである、Ｃ１に記載の方法。
［Ｃ４］ 前記メトリックは、準クリーンチャネル状態情報（ＣＳＩ）である、Ｃ１に記載の方法。
［Ｃ５］ 前記準クリーンＣＳＩは、チャネル品質インジケータ（ＣＱＩ）、前記干渉ダウンリンク送信からの干渉の量、プリコーディングマトリックスインジケータ（ＰＭＩ）、ランク指示（ＲＩ）、サブバンドインデックス、またはそれらの組み合わせのうちの１つまたは複数を含む、Ｃ４に記載の方法。
［Ｃ６］ 前記準クリーンＣＳＩは、複数の準クリーンＣＳＩセットを含み、各準クリーンＣＳＩセットは、パラメータの異なるセットに関連付けられる、Ｃ４に記載の方法。
［Ｃ７］ 前記メトリックを送信することは、複数の報告インスタンスにおいて前記メトリックを報告することと、前記複数の報告インスタンスにわたって前記複数の準クリーンＣＳＩセットを周期的に繰り返すことをさらに備える、Ｃ６に記載の方法。
［Ｃ８］ 前記メトリックは、干渉除去効率値である、Ｃ１に記載の方法。
［Ｃ９］ 前記パラメータは、前記ｅノードＢから送信されるか、またはＵＥにおいて決定される、Ｃ１に記載の方法。
［Ｃ１０］ 前記パラメータは、前記干渉データチャネル送信に関連付けられ、前記パラメータは、前記干渉データチャネル送信に関連付けられた実パラメータ、前記干渉データチャネル送信に関連付けられた実パラメータではない仮想パラメータ、またはそれらの組み合わせを含む、Ｃ９に記載方法。
［Ｃ１１］ 前記メトリックは、前記パラメータが前記仮想パラメータである場合、仮想干渉除去に少なくとも部分的に基づいて間接的に決定され、
前記メトリックは、前記パラメータが前記実パラメータである場合、実際の干渉除去に少なくとも部分的に基づいて直接的に決定される、Ｃ１０に記載の方法。
［Ｃ１２］ ワイヤレス通信のための装置であって、
メモリと
前記メモリに結合された少なくとも１つのプロセッサと
を備え、
前記少なくとも１つのプロセッサは、
干渉ダウンリンク送信に関連付けられたパラメータを決定し、
前記パラメータに少なくとも部分的に基づいて、干渉データチャネル送信から除去された干渉の量を反映するメトリックを決定し、
前記メトリックをｅノードＢに送信する
ように構成される、装置。
［Ｃ１３］ 前記少なくとも１つのプロセッサはさらに、チャネル品質報告情報を受信するように構成され、前記チャネル品質報告情報は、前記メトリックを報告するためのサブフレームの第１のセットと、前記メトリックを報告するためのサブフレームの第２のセットとを含み、前記サブフレームの第１のセットおよびサブフレームの第２のセットは、異なる干渉プロファイルを有する、Ｃ１２に記載の装置。
［Ｃ１４］ 前記サブフレームの第１のセット は、クリーンサブフレームであり、且つ前記サブフレームの第２のセット は、非クリーンサブフレームであるか、
前記サブフレームの第１のセットは、クリーンサブフレームであり、且つ前記サブフレームの第２のセットは、準クリーンサブフレームであるか、または
前記サブフレームの第１のセットは、非クリーンサブフレームであり、且つ前記サブフレームの第２のセットは、準クリーンサブフレームである、Ｃ１２に記載の装置。
［Ｃ１５］ 前記メトリックは、準クリーンチャネル状態情報（ＣＳＩ）である、Ｃ１２に記載の装置。
［Ｃ１６］ 前記準クリーンＣＳＩは、チャネル品質インジケータ（ＣＱＩ）、前記干渉ダウンリンク送信からの干渉の量、プリコーディングマトリックスインジケータ（ＰＭＩ）、ランク指示（ＲＩ）、サブバンドインデックス、またはそれらの組み合わせのうちの１つまたは複数を含む、Ｃ１５に記載の装置。
［Ｃ１７］ 前記準クリーンＣＳＩは、複数の準クリーンＣＳＩセットを含み、各準クリーンＣＳＩセットは、パラメータの異なるセットに関連付けられる、Ｃ１５に記載の装置。
［Ｃ１８］ 前記少なくとも１つのプロセッサは、複数の報告インスタンスにおいて前記メトリックを報告し、前記複数の報告インスタンスにわたって前記複数の準クリーンＣＳＩセットを周期的に繰り返すようにさらに構成される、Ｃ１７に記載の装置。
［Ｃ１９］ 前記メトリックは、干渉除去効率値である、Ｃ１２に記載の装置。
［Ｃ２０］ 前記パラメータは、前記ｅノードＢから送信されるか、またはＵＥにおいて決定される、Ｃ１２に記載の装置。
［Ｃ２１］ 前記パラメータは、前記干渉データチャネル送信に関連付けられ、前記パラメータは、前記干渉データチャネル送信に関連付けられた実パラメータ、前記干渉データチャネル送信に関連付けられた実パラメータではない仮想パラメータ、またはそれらの組み合わせを含む、Ｃ２０に記載の装置。
［Ｃ２２］ 前記少なくとも１つのプロセッサはさらに、
前記パラメータが前記仮想パラメータである場合、仮想干渉除去に少なくとも部分的に基づいて前記メトリックを間接的に決定し、
前記パラメータが前記実パラメータである場合、実際の干渉除去に少なくとも部分的に基づいて前記メトリックを直接的に決定する
ように構成される、Ｃ２１に記載の方法 。
［Ｃ２３］ ワイヤレス通信のための装置であって、
干渉ダウンリンク送信に関連付けられたパラメータを決定するための手段と、
前記パラメータに少なくとも部分的に基づいて、干渉データチャネル送信から除去された干渉の量を反映するメトリックを決定するための手段と、
前記メトリックをｅノードＢに送信するための手段と
を備える、装置。
［Ｃ２４］ ワイヤレス通信のためのコンピュータプログラム製品であって、前記コンピュータプログラム製品は、
記録されたプログラムコードを有する非一時的コンピュータ読み取り可能な媒体
を備え、
前記プログラムコードは、
干渉ダウンリンク送信に関連付けられたパラメータを決定するためのプログラムコードと、
前記パラメータに少なくとも部分的に基づいて、干渉データチャネル送信から除去された干渉の量を反映するメトリックを決定するためのプログラムコードと、
前記メトリックをｅノードＢに送信するためのプログラムコードと
を備える、コンピュータプログラム製品。
【国際調査報告】
2015527794.tif 000014
2015527794.tif 000015